(57)【要約】【課題】第２コネクタにおける設置壁から突出する部分の薄型化を実現して、第２コネクタが設置壁の表面において目立たず、しかも邪魔にならない配線コネクタを提供する。【解決手段】第１コネクタ１１は、設置壁７に開設した装着孔２８に箱状のハウジング１５の正面開口１８が臨む状態で設置壁７に埋設固定する。第２コネクタ１２は、設置壁７の表面よりも外面側に位置する本体部３６を備え、本体部３６の周端面３７から設置壁７の表面に沿う方向に向かって出力リード９を導出する。本体部３６に、指先を差込むための一対の差込凹部４３を凹み形成して、該差込凹部４３を囲む壁面を背面側に膨出形成する。第１コネクタ１１に第２コネクタ１２が差込み連結された状態において、本体部３６の背面側に膨出した差込凹部４３を囲む壁面を、正面開口１８からハウジング１５に差し込んでハウジング１５の内部に収容する。【選択図】図１
2019125417.tif 000002
【特許請求の範囲】
【請求項１】
設置壁（７）に埋設固定される第１コネクタ（１１）と、第１コネクタ（１１）に着脱可能に差込み連結される第２コネクタ（１２）とを備えており、
第１コネクタ（１１）は、正面開口（１８）を有する箱状のハウジング（１５）を備え、設置壁（７）に開設した装着孔（２８）に正面開口（１８）が臨む状態で設置壁（７）に埋設固定されており、
第２コネクタ（１２）は、設置壁（７）の表面よりも外面側に位置する本体部（３６）を備え、該本体部（３６）の周端面（３７）から設置壁（７）の表面に沿う方向に向かって出力リード（９）が導出されており、
本体部（３６）に、指先を差込むための一対の差込凹部（４３）が凹み形成されて、該差込凹部（４３）を囲む壁面が背面側に膨出形成されており、
第１コネクタ（１１）に第２コネクタ（１２）が差込み連結された状態において、本体部（３６）の背面側に膨出した差込凹部（４３）を囲む壁面が、正面開口（１８）からハウジング（１５）に差し込まれてハウジング（１５）の内部に収容されていることを特徴とする配線コネクタ。
【請求項２】
第１コネクタ（１１）は設置壁（７）に開口した装着孔（２８）に背面側から装着されて、装着孔（２８）の周縁複数個所で係合する固定構造（２９）で固定されており、
設置壁（７）と正対する側から見て、本体部（３６）の外郭縁で規定される投影形状が、装着孔（２８）と設置壁（７）の表面に露出する固定構造（２９）とを合成した外郭縁で規定される投影形状よりも大きく形成されて、第１コネクタ（１１）に第２コネクタ（１２）が差込み連結された状態において、装着孔（２８）および第１コネクタ（１１）の正面の全体が第２コネクタ（１２）で隠蔽されている請求項１に記載の配線コネクタ。
【請求項３】
固定構造（２９）は、装着孔（２８）の周縁壁の正面と複数個所で係合する係止爪（３０）と、装着孔（２８）の周縁壁の背面を受止めるフランジ部（３１）を備えており、
第１コネクタ（１１）に第２コネクタ（１２）が差込み連結された状態において、係止爪（３０）が本体部（３６）の背面に設けた収容凹部（５４）に収容されて、本体部（３６）の背面の四周縁部が設置壁（７）に密着している請求項２に記載の配線コネクタ。
【請求項４】
ハウジング（１５）と本体部（３６）の間に、第１コネクタ（１１）に差込み連結された第２コネクタ（１２）の連結状態を保持する保持構造（５７）が設けられており、
保持構造（５７）は、第１コネクタ（１１）側に設けられる第１係合体（５８）と、第２コネクタ（１２）側に設けられる第２係合体（５９）とで構成されて、第２係合体（５９）が第１係合体（５８）に対して弾性変形されて係脱されるようになっており、
第２係合体（５９）を係合解除状態に弾性変形させる解除操作部（６０）が、差込凹部（４３）の壁面に配置されている請求項１から３のいずれかひとつに記載の配線コネクタ。
【請求項５】
第１係合体（５８）は、ハウジング（１５）に一体に形成された係合爪（６１）で構成されており、
第２係合体（５９）は、本体部（３６）と一体に形成された片持ち状の弾性アーム（６２）と、弾性アーム（６２）の揺動先端に突設されて、係合爪（６１）と係脱される係合突起（６３）を備えており、
第２係合体（５９）の弾性アーム（６２）が、差込凹部（４３）を囲む壁面に切欠き形成されたアームスリット（６４）に臨んで配置されて、弾性アーム（６２）が解除操作部（６０）を兼ねている請求項４に記載の配線コネクタ。
【請求項６】
本体部（３６）の背面中央を間にして一対の差込凹部（４３）が設けられており、
弾性アーム（６２）が、各差込凹部（４３）を囲む壁面の本体部（３６）の背面中央側に形成されたアームスリット（６４）に臨むように配置されている請求項５に記載の配線コネクタ。
【請求項７】
ハウジング（１５）の底壁（１６）の内面から正面開口（１８）側に向かってソケット部（２０）が突設され、本体部（３６）の裏面から背面側に向かってソケット部（２０）に係合連結されるプラグ部（３９）が突設されており、
雄コンタクト（３８）と雌コンタクト（１９）のいずれか一方がソケット部（２０）に設けられ、他方がプラグ部（３９）に設けられており、
第２コネクタ（１２）の上下周面のいずれか一方に、出力リード（９）用の導出孔（５３）が形成されており、
第２コネクタ（１２）が第１コネクタ（１１）に対して、導出孔（５３）が第２コネクタ（１２）の上周面で開口する標準姿勢と、導出孔（５３）が第２コネクタ（１２）の下周面で開口する反転姿勢とに差込み連結可能に構成されている請求項１から６のいずれかひとつに記載の配線コネクタ。
【発明の詳細な説明】
【技術分野】
【０００１】
本発明は、例えばショーケースの照明配線などに適用される、第１コネクタと、該第１コネクタに差込み連結される第２コネクタからなる配線コネクタに関する。
【背景技術】
【０００２】
本発明の配線コネクタは、第１コネクタが設置壁に埋設固定されており、第１コネクタに連結された第２コネクタから伸びる出力リードが設置壁の表面に沿う方向に向かって導出されているが、このような配線コネクタは、例えば特許文献１に開示されており公知である。特許文献１の配線コネクタ（防水コネクタ）は、設置壁（内箱）に埋設固定された第１コネクタ（コンセント）と、第１コネクタに接続される第２コネクタ（プラグ）からなり、第１コネクタの正面側から第２コネクタを差込むことにより、コンタクトとプラグピンとを接続することができる。第１コネクタは、該第１コネクタの前縁に設けた固定構造（フランジ）で設置壁に固定されており、該フランジは第２コネクタの周囲において設置壁の表面に露出している。第２コネクタは、傘状に形成された略半部が設置壁の表面から突出しており、この傘状部分の周端面から出力リード（配線コード）が導出されている。傘状の突出部分を手指で摘んで引き抜くことにより、第２コネクタを第１コネクタから分離することができる。
【先行技術文献】
【特許文献】
【０００３】
【特許文献１】実開昭５７−１７８３８５号公報（第２図）
【発明の概要】
【発明が解決しようとする課題】
【０００４】
特許文献１の配線コネクタにおいては、第２コネクタの設置壁の表面からの突出寸法が大きく設定されているので、第２コネクタの分離操作を容易に行うことができる。しかし、設置壁の表面から大きく突出している分、特許文献１の配線コネクタを例えばショーケースに適用した場合には、陳列室内で第２コネクタが目立ち、ショーケースのデザイン性が低下する。第２コネクタが商品陳列の邪魔になることもある。こうした不都合は、第２コネクタの突出寸法を小さくすれば解消できるが、特許文献１の配線コネクタのように、設置壁の表面から突出した第２コネクタの周端面を手指で摘んで第２コネクタを分離する形態では、少なくとも指先が掛かる程度の突出寸法が必要であり、突出部分の小寸法化には限界があった。
【０００５】
本発明は、第２コネクタが設置壁の表面において目立たず、しかも邪魔にならない配線コネクタを提供することを目的とする。
【課題を解決するための手段】
【０００６】
本発明は、設置壁７に埋設固定される第１コネクタ１１と、第１コネクタ１１に着脱可能に差込み連結される第２コネクタ１２とを備える。第１コネクタ１１は、正面開口１８を有する箱状のハウジング１５を備え、設置壁７に開設した装着孔２８に正面開口１８が臨む状態で設置壁７に埋設固定されている。第２コネクタ１２は、設置壁７の表面よりも外面側に位置する本体部３６を備え、該本体部３６の周端面３７から設置壁７の表面に沿う方向に向かって出力リード９が導出されている。本体部３６に、指先を差込むための一対の差込凹部４３が凹み形成されて、該差込凹部４３を囲む壁面が背面側に膨出形成されている。第１コネクタ１１に第２コネクタ１２が差込み連結された状態において、本体部３６の背面側に膨出した差込凹部４３を囲む壁面が、正面開口１８からハウジング１５に差し込まれてハウジング１５の内部に収容されていることを特徴とする。
【０００７】
第１コネクタ１１は設置壁７に開口した装着孔２８に背面側から装着されて、装着孔２８の周縁複数個所で係合する固定構造２９で固定されている。設置壁７と正対する側から見て、本体部３６の外郭縁で規定される投影形状が、装着孔２８と設置壁７の表面に露出する固定構造２９とを合成した外郭縁で規定される投影形状よりも大きく形成されており、第１コネクタ１１に第２コネクタ１２が差込み連結された状態において、装着孔２８および第１コネクタ１１の正面の全体が第２コネクタ１２で隠蔽されている。
【０００８】
固定構造２９は、装着孔２８の周縁壁の正面と複数個所で係合する係止爪３０と、装着孔２８の周縁壁の背面を受止めるフランジ部３１を備えている。第１コネクタ１１に第２コネクタ１２が差込み連結された状態において、係止爪３０が本体部３６の背面に設けた収容凹部５４に収容されて、本体部３６の背面の四周縁部が設置壁７に密着されている。
【０００９】
ハウジング１５と本体部３６の間に、第１コネクタ１１に差込み連結された第２コネクタ１２の連結状態を保持する保持構造５７が設けられている。保持構造５７は、第１コネクタ１１側に設けられる第１係合体５８と、第２コネクタ１２側に設けられる第２係合体５９とで構成されて、第２係合体５９が第１係合体５８に対して弾性変形されて係脱されるようになっている。第２係合体５９を係合解除状態に弾性変形させる解除操作部６０が、差込凹部４３の壁面に配置されている形態を採ることができる。
【００１０】
第１係合体５８は、ハウジング１５に一体に形成された係合爪６１で構成されている。第２係合体５９は、本体部３６と一体に形成された片持ち状の弾性アーム６２と、弾性アーム６２の揺動先端に突設されて、係合爪６１と係脱される係合突起６３を備えている。第２係合体５９の弾性アーム６２が、差込凹部４３を囲む壁面に切欠き形成されたアームスリット６４に臨んで配置されて、弾性アーム６２が解除操作部６０を兼ねている形態を採ることができる。
【００１１】
本体部３６の背面中央を間にして一対の差込凹部４３が設けられている。弾性アーム６２が、各差込凹部４３を囲む壁面の本体部３６の背面中央側に形成したアームスリット６４に臨むように配置されていることが好ましい。
【００１２】
ハウジング１５の底壁１６の内面から正面開口１８側に向かってソケット部２０が突設され、本体部３６の裏面から背面側に向かってソケット部２０に外嵌または内嵌するプラグ部３９が突設されている。雄コンタクト３８と雌コンタクト１９のいずれか一方がソケット部２０に設けられ、他方がプラグ部３９に設けられている。第２コネクタ１２の上下周面のいずれか一方に、給電リード９用の導出孔５３が形成されている。第２コネクタ１２が第１コネクタ１１に対して、導出孔５３が第２コネクタ１２の上周面で開口する標準姿勢と、導出孔５３が第２コネクタ１２の下周面で開口する反転姿勢とに差込み連結可能に構成されている形態を採ることができる。
【発明の効果】
【００１３】
本発明の配線コネクタにおいては、指先を差込むための一対の差込凹部４３を本体部３６に凹み形成して、該差込凹部４３を囲む壁面を背面側に膨出形成した。第１コネクタ１１に第２コネクタ１２が差込み連結された状態において、本体部３６の背面側に膨出した差込凹部４３を囲む壁面を、正面開口１８からハウジング１５に差し込まれてハウジング１５の内部に収容した。こうした配線コネクタによれば、第２コネクタ１２を分離するときには、一対の差込凹部４３に差し込んだ指先で本体部３６を摘まんで、第１コネクタ１１から第２コネクタ１２を分離できるので、本体部３６を指先が掛かる程の厚み寸法にする必要がなく、本体部３６を薄型化できる。また、凹み形成された一対の差込凹部４３は本体部３６の表面よりも背面側に位置するので、本体部３６の表面に分離操作のための突起等が形成されることもなく、この点でも本体部３６を薄型化できる。従って、本体部３６の表面を平坦面とし、さらに本体部３６の厚み寸法を、その周端面３７から出力リード９が導出できる程度まで薄くすることができる。以上のように、本発明によれば、設置壁７から突出する第２コネクタ１２の薄型化を実現して、設置壁７の表面において目立たず、しかも邪魔にならない配線コネクタを得ることができる。
【００１４】
設置壁７と正対する側から見て、本体部３６の外郭縁で規定される投影形状を、設置壁７に開設した装着孔２８と設置壁７の表面に露出する第１コネクタ１１の固定構造２９とを合成した外郭縁で規定される投影形状よりも大きく形成して、第１コネクタ１１に第２コネクタ１２が差込み連結された状態において、装着孔２８および第１コネクタ１１の正面の全体を第２コネクタ１２で隠蔽した。これによれば、第２コネクタ１２で装着孔２８および第１コネクタ１１を覆い隠して、設置壁７と正対する側から見たときの配線コネクタまわりの見栄えを向上できる。また、第１コネクタ１１は第２コネクタ１２で隠蔽されるので、第２コネクタ１２の色のみを設置壁７の塗装色に合わせることで、設置壁７上において配線コネクタを目立たなくすることができる。これにより、例えば設置壁７の塗装色が複数ラインナップされるショーケース等においては、第１コネクタ１１の色を複数用意する必要がない分、配線コネクタの製造および保管に要するコストを低減できる。なお、従来の配線コネクタにおいては、第１コネクタの固定構造が設置壁の外面に露出しているため、第２コネクタに加え第１コネクタも設置壁の塗装色に合わせる必要がある分、配線コネクタの製造および保管に要するコストが上昇するのを避けられない。
【００１５】
第１コネクタ１１に第２コネクタ１２が差込み連結された状態において、本体部３６の背面に設けた収容凹部５４に、装着孔２８の周縁壁の正面と複数個所で係合する係止爪３０を収容して、本体部３６の背面の四周縁部が設置壁７に密着するようにした。これによれば、設置壁７の表面から突出した係止爪３０を、本体部３６の厚み寸法内に収めて、設置壁７から突出する本体部３６をより薄型化できる。また、本体部３６と設置壁７との間の隙間を無くし、配線コネクタを本体部３６の周端面側から見たときの印象をすっきりとしたものにすることができる。また、隙間がない分、本体部３６の外周縁に溜まった埃等の清掃を容易に行える。
【００１６】
第１コネクタ１１側に設けられる第１係合体５８と、第２コネクタ１２側に設けられる第２係合体５９とで構成される保持構造５７は、第２係合体５９を第１係合体５８に対して弾性変形して係脱するようになっている。第２係合体５９を係合解除状態に弾性変形させる解除操作部６０を差込凹部４３の壁面に配置する。このように、差込凹部４３の壁面に配置した解除操作部６０によれば、第１コネクタ１１に差込み連結された第２コネクタ１２の連結状態を保持する保持構造５７を配線コネクタに設けた場合でも、本体部３６の突出寸法が大きくなることがなく、適正な連結状態を維持しながらも、目立たず、しかも邪魔にならない配線コネクタを得ることができる。
【００１７】
第２係合体５９の弾性アーム６２を、差込凹部４３の壁面に切欠き形成されたアームスリット６４に臨んで配置して、弾性アーム６２が解除操作部６０を兼ねるようにした。これによれば、保持構造５７の係合を解除する解除操作部６０を別途設ける必要がなく、簡素な構造で解除操作部６０を差込凹部４３の内面に配置することができる。また、アームスリット６４を形成したことによって差込凹部４３の壁面に生じた切欠き部は弾性アーム６２で塞がれるので、アームスリット６４を形成したことによる第２コネクタ１２の外観の変化を最小化でき、配線コネクタが目立つようなこともない。
【００１８】
本体部３６の背面中央を間にして一対の差込凹部４３を設け、各差込凹部４３を囲む壁面の本体部３６の背面中央側に形成したアームスリット６４に臨むように弾性アーム６２を配置した。これによれば、一対の差込凹部４３に指先を差込み、本体部３６を摘まむ動作を行うだけで、意識することなく解除操作部６０で保持構造５７の係合を解除できるので、第１コネクタ１１から第２コネクタ１２を分離する動作を簡便化できる。
【００１９】
第２コネクタ１２を第１コネクタ１１に対して、導出孔５３が第２コネクタ１２の上周面で開口する標準姿勢と、導出孔５３が第２コネクタ１２の下周面で開口する反転姿勢に差込み連結可能に構成した。これによれば、第２コネクタ１２を差込み連結する姿勢を変更することで、出力リード９を上向きに導出する状態と、下向きに導出する状態とに切り換えることができ、出力リード９の配線形態の自由度を向上して、出力リード９が煩雑に配線されるのを抑制できる。また、煩雑に配線されるのを抑制することで、出力リード９に陳列商品が引っ掛かることがなく、出力リード９の断線のリスクを低減できる。
【図面の簡単な説明】
【００２０】
【図１】本発明に係る配線コネクタの横断平面図である。
【図２】本発明の配線コネクタを適用したショーケースの正面図である。
【図３】配線コネクタの分解斜視図である。
【図４】配線コネクタの横断平面図であり、図１におけるＡ−Ａ線断面図である。
【図５】配線コネクタの正面図である。
【図６】第２コネクタの分離動作を示す説明図である。
【図７】第１コネクタから第２コネクタを分離した状態を示す、一部破断横断平面図である。
【図８】第１コネクタから第２コネクタを分離し、第２コネクタを前後反転させた状態を示す正面図である。
【発明を実施するための形態】
【００２１】
（実施例）  図１から図８は、本発明に係る配線コネクタをオープン型のショーケースの照明装置に電力を供給する配線に適用した実施例を示す。この実施例における前後、左右、上下とは、図１から図４に示す交差矢印と、各矢印の近傍に表記した前後、左右、上下の表示に従う。図２においてショーケースは、正面に開口を有する断熱箱体からなるショーケース本体１を備え、ショーケース本体１の内部は陳列室２とされている。陳列室２には陳列棚３が多段状に設けられており、最下段を除く陳列棚３の下面先端に、直下の陳列棚３の陳列商品を照明するＬＥＤ蛍光灯型の照明装置４が配置されている。
【００２２】
陳列室２の背面板（設置壁）７の裏側に単相３線式の主配線８が配置されており、照明装置４に電力を供給する給電リード（出力リード）９は、配線コネクタを介して主配線８に接続される。図３および図７に示すように配線コネクタは、背面板７に埋設固定される第１コネクタ１１と、第１コネクタ１１に着脱可能に差込み連結される第２コネクタ１２とを備えており、第１コネクタ１１は主配線８の中途部に接続され、第２コネクタ１２は照明装置４の給電リード９の先端に接続される。本実施例では主配線８に４個の第１コネクタ１１が並列状に接続されており、４個の照明装置４に電力を供給できるようにしている（図２参照）。
【００２３】
第１コネクタ１１はハウジング１５を備えており、該ハウジング１５は左右に長い長方形状の底壁１６と、底壁１６の四周縁部から前向きに立設される周囲壁１７とで、正面開口１８を有する四角箱状に形成されている。底壁１６の前面（内面）中央には、雌コンタクト１９が設けられるソケット部２０が前向きに突設されている。ソケット部２０は横長直方体状に形成されており、正面視における四隅部が丸められている（図８参照）。ソケット部２０には３個の雌コンタクト１９が左右方向に等間隔で設けられており、左右中央の雌コンタクト１９は、底壁１６の中心を通る前後方向に伸びる軸線に沿って設けられる。各雌コンタクト１９は、ソケット部２０を前後に貫通するコンタクト孔２１の内部に配置される。
【００２４】
図１および図４に示すように、底壁１６の後面には、主配線８の一部と、主配線８から分岐されて雌コンタクト１９に接続される分岐配線を収容する収容室２２が画成されている。底壁１６の後面には、周囲壁１７より一回り小さい四角枠状の収容室壁２３が一体に形成されており、収容室壁２３の後側開口はハウジング１５と別体で形成される後蓋２４で塞がれている。収容室２２は、底壁１６、収容室壁２３、および後蓋２４で区画されている。収容室壁２３の左右壁の後端には、収容室２２に対して主配線８を引込み、あるいは引出すための３個の通線溝２５がそれぞれ凹み形成されている。主配線８から分岐された分岐配線にそれぞれ雌コンタクト１９を接続し所定の位置に配置したのち、後蓋２４を収容室壁２３に溶着固定することで、雌コンタクト１９、分岐配線、および主配線８を収容室２２に収容する。ソケット部２０の基部には、防水パッキン２６が外嵌固定されており、防水パッキン２６で後述するプラグ部３９の外嵌筒４１とソケット部２０との隙間を封止している。ハウジング１５および後蓋２４は射出成型品からなり、本実施例ではそれぞれＡＢＳ樹脂を素材として形成した。なお、ＡＢＳ樹脂以外の合成樹脂素材でハウジング１５および後蓋２４を形成してもよい。
【００２５】
図３に示すように、背面板７には、ハウジング１５の周囲壁１７の前端の外郭形状と略同一の左右に長い長方形状の装着孔２８が開設されている。該装着孔２８にハウジング１５の正面開口１８が臨む状態で、第１コネクタ１１は背面板７に開口した装着孔２８に背面側から装着されて、装着孔２８の周縁複数個所で係合する固定構造２９で固定されている。固定構造２９は、ハウジング１５の上下の周囲壁１７の前面から前向きに張り出し、かつ外向きに突出して装着孔２８の周縁壁の正面と複数個所で係合する係止爪３０と、周囲壁１７の前面より後側で周囲壁１７の外面に周回状に設けられるフランジ部３１とで構成されている。図８に示すように係止爪３０は、上下の周囲壁１７にそれぞれ２個ずつ設けられている。左右の係止爪３０は、正面視におけるハウジング１５の左右中央を対称線として線対称状に設けられており、その形成間隔は、下側の係止爪３０よりも上側の係止爪３０のほうが大きくなっている。係止爪３０の後面とフランジ部３１の前面の間の隙間寸法は、背面板７の厚み寸法と略一致させている（図４参照）。なお、フランジ部３１は、係止爪３０と正対する部分のフランジ部３１が切欠かれて断続状に形成されているが、これは成形時の金型の都合であり、フランジ部３１は連続状に形成されていてもよい。
【００２６】
装着孔２８の上下の縁部には、それぞれ２個の台形状の切欠き部３２が設けられている。切欠き部３２は、第１コネクタ１１を背面板７に固定する際に、先の係止爪３０を背面板７の前面（正面）側に係止させるために設けられている。切欠き部３２は、その形成間隔が係止爪３０と同一間隔に設定されており、正面視において装着孔２８の中央から左に偏った位置に形成されている。
【００２７】
第１コネクタ１１は背面板７に対して裏面側から組付けられる。具体的には、まず、背面板７の裏面側において各係止爪３０を、それぞれ切欠き部３２と位置合わせしたうえで、第１コネクタ１１を図３において前側に押込んで、切欠き部３２に係止爪３０を差込む。次いで第１コネクタ１１を図３において右側にスライドさせることにより、装着孔２８の周縁壁の後面（背面）がフランジ部３１で受止められた状態で背面板７の前面に各係止爪３０が係合され固定が完了する。背面板７の表面に係止爪３０を係止させた状態においては、フランジ部３１よりも前側の周囲壁１７は、装着孔２８に嵌まり込んでおり、第１コネクタ１１の上下左右方向の移動が規制されている（図１および図４参照）。さらに、装着孔２８の周縁部分の背面板７が、係止爪３０とフランジ部３１で挟み込まれており、第１コネクタ１１の前後方向の移動が規制されている（図１参照）。従って、第１コネクタ１１は、固定構造２９で背面板７に対してがたつくことなく固定される。
【００２８】
図３において、符号３３は、第１コネクタ１１が背面板７に固定されたとき、背面板７の表面よりも前方に突出するように形成された抜け止め突起である。この抜け止め突起が背面板７の裏面側に抜け出ない限り、第１コネクタ１１を分離方向にスライドさせることができず、従って第１コネクタ１１が背面板７から分離されるのをよく防止できる。第１コネクタ１１が背面板７に固定された状態では、周囲壁１７の前端面と背面板７の表面とは略面一状になっており、背面板７の表面より前側には、４個の係止爪３０と、抜け止め突起３３の先端側の一部が突出している。
【００２９】
第２コネクタ１２は、両コネクタ１１・１２が連結された状態において、背面板７の表面よりも前側（外面側）に位置する平板状の本体部３６を備える。図４および図５に示すように本体部３６は、表面が平坦な左右に長い矩形平板状に形成されており、本体部３６の周端面３７から背面板７の表面に沿う方向に向かって給電リード９が導出されている。本実施例では、本体部３６の上下寸法は３６ｍｍ、左右寸法は７５ｍｍ、前後寸法（厚み寸法）は５ｍｍであり、正面四隅および前面稜線が丸められている。なお、本体部３６の前後寸法は、給電リード９の直径よりも大きく設定すればよいので、例えば直径が３ｍｍの給電リード９を使用する場合には、本体部３６の前後寸法をより薄型化することができる。
【００３０】
図１および図７に示すように本体部３６の後面の中央には、雄コンタクト３８が設けられるプラグ部３９が後（背面）向きに突設されている。プラグ部３９は、ブロック状の基端ブロック４０と、筒状の外嵌筒４１とで構成されており、両コネクタ１１・１２を連結した状態において、外嵌筒４１はソケット部２０に外嵌する。プラグ部３９は、背面視において四隅が丸められた横長直方体状に形成されている（図８参照）。基端ブロック４０には３個の雄コンタクト３８が左右方向に等間隔で設けられており、左右中央の雄コンタクト３８は、本体部３６の中心を通る前後方向に伸びる軸線に沿って設けられる。各雄コンタクト３８は、先端が基端ブロック４０から後向きに突出する状態で基端ブロック４０に設けたコンタクト孔４２に配置される。
【００３１】
本体部３６には、指先を差込むための一対の差込凹部４３が凹み形成されており、該差込凹部４３を囲む壁面が背面側に膨出形成されている。一対の差込凹部４３は、プラグ部３９（本体部３６の背面中央）を間にして設けられている。本実施例の第２コネクタ１２は、後側のコネクタベース４６と、前側のカバー体４７とを溶着固定して形成される。コネクタベース４６はベース部４８と、ベース部４８に一体的に形成される椀状の左右一対のカップ部４９を備えており、ベース部４８の後面にプラグ部３９が設けられている。カバー体４７は、カバー主壁５０と、カバー主壁５０の四周縁部から後向きに立設されるカバー周壁５１とで後面に開口する凹部を備えた角皿状に形成されている。カバー主壁５０には、コネクタベース４６の一対のカップ部４９に対応する位置に貫通孔５２が開設されている。カップ部４９と貫通孔５２とで差込凹部４３が形成されており、カップ部４９は差込凹部４３を囲む壁面を構成している。
【００３２】
図８に示すように、本体部３６を正面（背面板７と正対する側）から見て、二点鎖線で示す本体部３６（カバー主壁５０）の外郭縁で規定される投影形状は、装着孔２８と背面板７の表面に露出する固定構造２９とを合成した外郭縁で規定される投影形状よりも大きく形成されて、両コネクタ１１・１２が差込み連結された状態において、第２コネクタ１２で装着孔２８および第１コネクタ１１の正面の全体を隠蔽している。これによれば、第２コネクタ１２で装着孔２８および第１コネクタ１１を覆い隠して、背面板７と正対する側から見たときの配線コネクタまわりの見栄えを向上できる。また、第１コネクタ１１は第２コネクタ１２で隠蔽されるので、第２コネクタ１２の色のみを背面板７の塗装色に合わせることで、背面板７上において配線コネクタを目立たなくすることができる。これにより、例えば背面板７の塗装色が複数ラインナップされるショーケース等においては、第１コネクタ１１の色を複数用意する必要がない分、配線コネクタの製造および保管に要するコストを低減できる。なお、従来の配線コネクタにおいては、第１コネクタの固定構造が設置壁の外面に露出しているため、第２コネクタに加え第１コネクタも設置壁の塗装色に合わせる必要がある分、配線コネクタの製造および保管に要するコストが上昇するのを避けられない。
【００３３】
コネクタベース４６およびカバー体４７は射出成型品からなり、本実施例ではそれぞれＡＢＳ樹脂を素材として形成した。なお、ＡＢＳ樹脂以外の合成樹脂素材でコネクタベース４６およびカバー体４７を形成してもよい。コネクタベース４６とカバー体４７とは、収容凹部５４にベース部４８と一対のカップ部４９の開口縁部が収容される状態で溶着固定される。両者４６・４７を溶着固定した状態におけるカバー体４７部分が、両コネクタ１１・１２を連結した状態において、背面板７の表面よりも外面側に位置する本体部３６となる。給電リード９は、コネクタベース４６とカバー体４７とを接合したときに形成される、周端面３７の上周面で開口する３個の導出孔５３から導出されており、各導出孔５３は周端面３７と雄コンタクト３８が装着されるコンタクト孔４２とを連通している。
【００３４】
第１コネクタ１１に第２コネクタ１２が差込み連結された状態においては、平板状の本体部３６の後面側に膨出したカップ部４９（差込凹部４３を囲む壁面）は、正面開口１８からハウジング１５の内部に差し込まれてハウジング１５の内部に収容されている。これにより、第２コネクタ１２の本体部３６のみが、背面板７の表面より前側に突出している。また、各雌コンタクト１９と雄コンタクト３８とは接続されており、プラグ部３９の外嵌筒４１はソケット部２０に外嵌して、両者２０・４１の間の周回状の隙間が防水パッキン２６で封止され、両コンタクト１９・３８の接続部分を防水している。これにより、ハウジング１５内に水が浸入した場合でも、雌コンタクト１９および雄コンタクト３８に水が付着することがない。
【００３５】
上記のように、本実施例に係る配線コネクタにおいては、指先を差込むための一対の差込凹部４３を本体部３６に凹み形成して、該差込凹部４３を囲む壁面（カップ部４９）を後面側に膨出形成した。第１コネクタ１１に第２コネクタ１２が差込み連結された状態において、本体部３６の後面側に膨出した差込凹部４３を囲む壁面を、正面開口１８からハウジング１５に差し込まれてハウジング１５の内部に収容した。こうした配線コネクタによれば、第２コネクタ１２を分離するときには、一対の差込凹部４３に差し込んだ指先で本体部３６を摘まんで、第１コネクタ１１から第２コネクタ１２を分離できるので、本体部３６を指先が掛かる程の厚み寸法にする必要がない。また、凹み形成された一対の差込凹部４３は本体部３６の表面よりも背面側に位置するので、本体部３６の表面に分離操作のための突起等が形成されることもない。従って、本体部３６の表面を平坦面とし、さらに本体部３６の厚み寸法を、その周端面３７から給電リード９が導出できる程度まで薄くすることができる。以上のように、本実施例によれば、背面板７から突出する第２コネクタ１２の薄型化を実現して、背面板７の表面において目立たず、しかも邪魔にならない配線コネクタを得ることができる。
【００３６】
コネクタベース４６とカバー体４７とを一体化したのちは、ベース部４８および一対のカップ部４９部分を除くカバー体４７の凹部部分に、背面視においてコ字状に形成される左右一対の収容凹部５４が形成される。両コネクタ１１・１２が差込み連結された状態においては、当該収容凹部５４に、背面板７の表面から突出した係止爪３０（固定構造２９の一部）と抜け止め突起３３の先端が収容されて、カバー体４７のカバー周壁５１の後端面（本体部３６の背面の四周縁部）が背面板７に密着している。これによれば、背面板７の表面から突出した係止爪３０と抜け止め突起３３を、本体部３６の厚み寸法内に収めて、背面板７から突出する本体部３６を薄型化できる。また、本体部３６と背面板７との間の隙間を無くし、配線コネクタを本体部３６の周端面側から見たときの印象をすっきりとしたものにすることができる。また、隙間がない分、本体部３６の外周縁に溜まった埃等の清掃を容易に行える。
【００３７】
ハウジング１５と本体部３６の間に、第１コネクタ１１に差込み連結された第２コネクタ１２の連結状態を保持する左右一対の保持構造５７が設けられている。各保持構造５７は、第１コネクタ１１側に設けられる第１係合体５８と、第２コネクタ１２側に設けられる第２係合体５９とで構成されており、第２係合体５９が、第１係合体５８に対して弾性変形されて係脱されるようになっている。第２係合体５９を係合解除状態に弾性変形させる解除操作部６０は、差込凹部４３の内面に配置されている。
【００３８】
第１係合体５８は、ハウジング１５に一体に形成された一対の係合爪６１で構成されている。係合爪６１はＬ字状に形成されており、底壁１６から前向きに突出している。一対の係合爪６１のＬ字状の先端部分は、互いに向かい合っている。第２係合体５９は、カバー主壁５０（本体部３６）と一体に形成された片持ち状の弾性アーム６２と、弾性アーム６２の揺動先端に突設されて、係合爪６１が係脱される係合突起６３を備えている。弾性アーム６２は「へ」字状に形成されており、貫通孔５２の内壁面から後向きに連設されている。差込凹部４３を囲む壁面を構成するカップ部４９には、アームスリット６４が切欠き形成されており、該アームスリット６４に臨んで弾性アーム６２が配置されている。弾性アーム６２のアームスリット６４に臨む部分が解除操作部６０とされて、弾性アーム６２が解除操作部６０を兼ねている。弾性アーム６２は、弾性変形させやすいようにアームスリット６４よりも差込凹部４３の内部寄りに配置されている。各差込凹部４３において、各差込凹部４３の本体部３６の背面中央側の壁面にアームスリット６４が切欠き形成されている。
【００３９】
上記のように、保持構造５７の第２係合体５９を係合解除状態に弾性変形させる解除操作部６０を差込凹部４３の壁面に配置すると、第１コネクタ１１に差込み連結された第２コネクタ１２の連結状態を保持する保持構造５７を配線コネクタに設けた場合でも、本体部３６の突出寸法が大きくなることがなく、適正な連結状態を維持しながらも、目立たず、しかも邪魔にならない配線コネクタを得ることができる。
また、差込凹部４３のアームスリット６４に臨んで配置された弾性アーム６２が解除操作部６０を兼ねていると、保持構造５７の係合を解除する解除操作部６０を別途設ける必要がなく、簡素な構造で解除操作部６０を差込凹部４３の内面に配置することができる。また、アームスリット６４を形成したことによって差込凹部４３の壁面に生じた切欠き部は弾性アーム６３で塞がれるので、アームスリット６４を形成したことによる第２コネクタ１２の外観の変化を最小化でき、配線コネクタが目立つようなこともない。
【００４０】
第１コネクタ１１の正面開口１８、ソケット部２０、雌コンタクト１９、および係合爪６１は、正面開口１８の開口中心を対称点として、点対称の関係に形成されている。また、第２コネクタ１２の本体部３６、プラグ部３９、雄コンタクト３８、差込凹部４３、および弾性アーム６２は本体部３６の板面中心を対称点として、点対称の関係に形成されている。このような点対称の関係に各部材を配置することにより、第２コネクタ１２が第１コネクタ１１に対して、導出孔５３が第２コネクタ１２の周端面３７の上周面で開口する標準姿勢と、導出孔５３が第２コネクタ１２の周端面３７の下周面で開口する反転姿勢に差込み連結可能に構成されている。第２コネクタ１２が標準姿勢で連結されているときは給電リード９が上向きに伸び、反転姿勢で連結されているときは給電リード９が下向きに伸びる。これによれば、第２コネクタ１２を差込み連結する姿勢を変更することで、給電リード９を上向きに導出する状態と、下向きに導出する状態とに切り換えることができ、給電リード９の配線形態の自由度を向上して、出力リード９が煩雑に配線されるのを抑制できる。また、煩雑に配線されるのを抑制することで、出力リード９に陳列商品が引っ掛かることがなく、出力リード９の断線のリスクを低減できる。
【００４１】
第１コネクタ１１に対する第２コネクタ１２の連結は、正面開口１８に本体部３６を正対させた状態から、第２コネクタ１２を第１コネクタ１１に向かって差込むことにより行われる。このとき、第２コネクタ１２は、一対の差込凹部４３に指先を差込んで摘んでもよいし、本体部３６の周端面３７の上下、あるいは左右を摘んでもよい。差込み初期のプラグ部３９は、ハウジング１５の上下の周囲壁１７に形成されたガイドリブ６７により、ソケット部２０に対し適正な上下位置に案内される。さらに第２コネクタ１２を差込むと、雄コンタクト３８が、雌コンタクト１９のコンタクト孔２１に進入し、加えて、ソケット部２０に形成されたガイド突起６９が、プラグ部３９の基端ブロック４０に凹み形成されたガイド凹部６８に侵入して案内されながら、雄コンタクト３８と雌コンタクト１９が接続される。保持構造５７は差込み終端で係合されるようになっており、このとき、弾性アーム６２の弾性復元力で、係合爪６１に弾性アーム６２が衝突しカチッと叩打音が生じるので、第２コネクタ１２が適正な位置まで差し込まれたどうかを音で確認できる。
【００４２】
図１に示すように、ガイド凹部６８は平面視で台形溝状に形成されて、隣り合う雄コンタクト３８の間に配置されており、ガイド突起６９はガイド凹部６８に対応する台形リブ状に形成されて、隣り合う雌コンタクト１９の間に配置されている。両コンタクト１９・３８が接続初期以降において、ガイド突起６９は隣り合う雄コンタクト３８・３８の間に位置するため、ガイド突起６９が隔壁となって、隣り合う雄コンタクト３８・３８どうしの絶縁距離を確保している。このように隔壁として機能するガイド突起６９によって隣り合う雄コンタクト３８・３８どうしが短絡するのを防止できる。また、第２コネクタ１２が差込み終端まで差し込まれた状態では、ガイド凹部６８とガイド突起６９とで、第２コネクタ１２の上下および左右方向の動きが規制されるようになっている。
【００４３】
第２コネクタ１２は、各差込凹部４３に指先を差込み、一対の差込凹部４３間の本体部３６を内向きに摘んだ状態で、手前側に引抜くことにより、第１コネクタ１１から分離できる。このとき、各差込凹部４３において、本体部３６の背面中央側の各差込凹部４３を囲む壁面側に解除操作部６０（弾性アーム６２）が配置されているので、一対の差込凹部４３に指先を差込み、本体部３６を摘まむ動作を行うだけで、意識することなく解除操作部６０で保持構造５７の係合状態を解除できるので、第１コネクタ１１から第２コネクタ１２を分離する動作を簡便化できる。
【００４４】
上記の実施例以外に、保持構造５７は、第２係合体５９をカップ部４９で左右方向にスライド自在に支持されて、解除操作部を兼ねるスライド体と、スライド体に突出形成される係合リブと、スライド体を係合方向に付勢するばねなどで構成し、第１係合体５８を係合リブがスライド係合される係合溝で構成してもよい。固定構造２９は、ハウジング１５に形成したねじボスと、ねじボスにねじ込まれるビスとで構成でき、この場合には、背面板７の前面側からねじボスにビスをねじ込んで、背面板７に第１コネクタ１１を締結固定する。正面開口１８は真円状、楕円状、多角形状に形成することができる。本体部３６も同様に真円状、楕円状、多角形状に形成することができる。コネクタベース４６とカバー体４７を溶着固定しただけの雄コンタクト３８を備えていない第２コネクタ１２を用意しておき、当該第２コネクタ１２を照明器具４が連結されない第１コネクタ１１に差込み連結することができる。これによれば、不使用の第１コネクタ１１を絶縁しつつ、背面板７上において配線コネクタが目立つのを防止できる。
【００４５】
上記の実施例では、単相３線式の主配線８に合わせて３個のコンタクト対１９・３８を設けたが、単相２線式の主配線８に適用する場合には、左右端のコンタクト対１９・３８だけを設けて主配線８および給電リード９を接続すればよい。中央のコンタクト孔対２１・４２を省略して、単相２線式専用の配線コネクタとすることもできる。また、４個以上のコンタクト対１９・３８を設けることもできる。この場合にも、標準姿勢と反転姿勢で第２コネクタ１２が差込み連結できるように各部材を点対称の関係に形成することが好ましい。ソケット部２０に雄コンタクト３８を設け、プラグ部３９に雌コンタクト１９を設ける形態であってもよい。本実施例に係る配線コネクタはオープン型のショーケースのほか、クローズド型のショーケース、業務用の冷凍冷蔵庫あるいは温蔵庫などの庫内照明装置に電力を供給する配線にも適用できる。
【符号の説明】
【００４６】
７  設置壁（背面板）
９  出力リード（給電リード）
１１  第１コネクタ
１２  第２コネクタ
１５  ハウジング
１８  正面開口
１９  雌コンタクト
２０  ソケット部
２８  装着孔
２９  固定構造
３０  係止爪
３１  フランジ部
３６  本体部
３７  周端面
３８  雄コンタクト
３９  プラグ部
４３  差込凹部
５４  収容凹部
５７  保持構造
５８  第１係合体
５９  第２係合体
６０  解除操作部
６１  係合爪
６２  弾性アーム
６３  係合突起
６４  アームスリット
【図１】
2019125417.tif 000003
【図２】
2019125417.tif 000004
【図３】
2019125417.tif 000005
【図４】
2019125417.tif 000006
【図５】
2019125417.tif 000007
【図６】
2019125417.tif 000008
【図７】
2019125417.tif 000009
【図８】
2019125417.tif 000010